(57)【要約】【課題】プロペラ式の深形レンジフードからデザイン性・掃除性の優れた薄形レンジフードへの取り替えが容易にできることを目的とする。【解決手段】モーター５のシャフト方向を水平方向または吸い込み方向に対して斜め下方に傾斜させ、送風機４からの空気をファンユニット８内に設けたチャンバー６内で圧力上昇させ、ファンユニット８の背面側にアダプター９を設けたという構成にしたことにより、ファンユニット８内のチャンバー６内で圧力上昇させた空気をファンユニット８の背面に設けた開口に設置したアダプター９から直接排気することとなるので、プロペラ式の深形レンジフードからデザイン性・掃除性の優れた薄形レンジフードへの取り替えが容易にできる換気装置を得られる。【選択図】図１
2012225599.tif 000002
【特許請求の範囲】
【請求項１】
下面に吸込口と上面に開口を有するフードと、前記開口に連通する直方体の外郭を持つ送風機とモーターとで構成したファンユニットとを有し、この前記ファンユニットの前記外郭に前記フードの下面の前記吸込口から吸引された空気を排気させる開口部を持つアダプターを配した構成において、前記モーターのシャフト方向を水平方向または吸い込み方向に対して斜め下方に傾斜させ、前記送風機からの空気を前記ファンユニット内に設けたチャンバー内で圧力上昇させ、前記ファンユニットの背面側に前記アダプターを設けたことを特徴とするレンジフード。
【請求項２】
ファンユニットを、ケーシングレスのターボファンとし、モーターを固定し、かつチャンバーを２分割する仕切板を設けたことを特徴とする請求項１に記載のレンジフード。
【請求項３】
ファンユニットに設けたアダプター用の開口を大きくし、アダプターとファンユニットとの間にアダプター用の開口を設けた調整板を配置し、アダプターと前記調整板の固定穴を長穴としたことを特徴とする請求項１または２に記載のレンジフード。
【請求項４】
調整板の固定穴を大きくし、ワッシャーで押さえて固定したことを特徴とする請求項３に記載のレンジフード。
【発明の詳細な説明】
【技術分野】
【０００１】
本発明は、台所内で調理時に発生する油煙などを捕集して屋外に排気するレンジフードに関するものである。
【背景技術】
【０００２】
従来、この種のレンジフードとして、デザイン性を確保しつつ製品を薄型化したりキッチンの収納スペースを確保し、また圧力損失を低下させて発生する騒音を低減する構造のものが知られている。（例えば、特許文献１参照）。
【０００３】
以下、そのレンジフードの構成について図４を参照しながら説明する。
【０００４】
図に示すように、薄型タイプの本体１０１は吸込口１０２と開口１０３を有するフード１０４とその上面にチャンバー１０５と送風機１０６とモーター１０７で構成されたファンユニット１０８を備え、ファンユニット１０８の上面もしくは左面もしくは右面に吸込口１０２から吸い込まれた空気を排気させるアダプター１０９で構成されている。
【０００５】
以上のように構成されたレンジフードの動作について説明する。
【０００６】
モーター１０７に取り付けられた送風機１０６が回転することで、吸込口１０２で吸い込まれた台所内で調理時に発生する油煙などは、開口１０３、チャンバー１０５、送風機１０６を通してアダプター１０９に運ばれダクトを通して屋外に排気される。その際、圧力損失を最小になるなどして風量の確保や騒音低減を図っている。
【先行技術文献】
【特許文献】
【０００７】
【特許文献１】特許第４２７４０２２号公報
【発明の概要】
【発明が解決しようとする課題】
【０００８】
このような従来のレンジフードにおいては、アダプター１０９がファンユニット１０８の上面もしくは左面もしくは右面にあり、アダプター１０９に接続したダクトを使用して吸込口１０２から吸い込まれた空気を排気していた。一方、レンジフードには送風機１０６がプロペラ式のものがあり、その構成は箱状のフードの下部にフィルターを設置し、レンジフードの高さ方向の中心部に送風機１０６が取り付いてけられており、背面側の壁に１辺３２０ｍｍの角穴が開けて取り付けている。そのプロペラ式のレンジフードも近年デザイン性や掃除性が求められているが、プロペラ式のレンジフードはファン特性から静圧を大きくすることができないため、シロッコファンやターボファンのものに取り替える必要がある。しかし、シロッコファンのものはチャンバー１０５内にケ−シングがあり、ケ−シングの吐出口は直接フ−ドの天面に固定されているため、レンジフ−ドの背面側中心部に位置している開口へのダクト接続ができなかったり、無理な曲げにより風量を確保できなかったり、騒音特性を悪化させるという課題を有している。またターボファンのレンジフードに取り替える際も同様に、背面側中心部に位置している開口へのダクト接続ができなかったり、無理な曲げにより風量を確保できなかったり、騒音特性を悪化させる、という課題を有していた。
【０００９】
そこで本発明は、上記従来の課題を解決するものであり、プロペラ式の深形レンジフードからデザイン性・掃除性の優れた薄形レンジフードへの取り替えが容易にできるレンジフードを提供することを目的とする。
【課題を解決するための手段】
【００１０】
そして、この目的を達成するために、本発明は、下面に吸込口と上面に開口を有するフードと、前記開口に連通する直方体の外郭を持つ送風機とモーターとで構成したファンユニットとを有し、この前記ファンユニットの前記外郭に前記フードの下面の前記吸込口から吸引された空気を排気させる開口部を持つアダプターを配した構成において、前記モーターのシャフト方向を水平方向または吸い込み方向に対して斜め下方に傾斜させ、前記送風機からの空気を前記ファンユニット内に設けたチャンバー内で圧力上昇させ、前記ファンユニットの背面側に前記アダプターを設けたこと、としたものであり、これにより所期の目的を達成するものである。
【発明の効果】
【００１１】
本発明によれば、下面に吸込口と上面に開口を有するフードと、前記開口に連通する直方体の外郭を持つ送風機とモーターとで構成したファンユニットとを有し、この前記ファンユニットの前記外郭に前記フードの下面の前記吸込口から吸引された空気を排気させる開口部を持つアダプターを配した構成において、前記モーターのシャフト方向を水平方向または吸い込み方向に対して斜め下方に傾斜させ、前記送風機からの空気を前記ファンユニット内に設けたチャンバー内で圧力上昇させ、前記ファンユニットの背面側に前記アダプターを設けたという構成にしたことにより、ファンユニット内のチャンバー内で圧力上昇させた空気をファンユニットの背面に設けた開口に設置したアダプターから直接排気することができる。また、低い位置にある穴にダクトが接続できなかったり、無理な曲げによるダクト配管を防止することができるので、風量−静圧特性、騒音特性を悪化させないので、プロペラ式の深形レンジフードからデザイン性・掃除性の優れた薄形レンジフードへの取り替えが容易にできる、という効果を得ることができる。
【図面の簡単な説明】
【００１２】
【図１】本発明の実施例１の側面断面図
【図２】同ケ−シングレスの送風機をターボファンとした場合の正面図
【図３】同調整板を配置し調節板とアダプターの固定穴を長穴とした場合の背面図
【図４】従来のレンジフードの側面断面図
【発明を実施するための形態】
【００１３】
本発明の請求項１記載のレンジフードは、下面に吸込口と上面に開口を有するフードと、前記開口に連通する直方体の外郭を持つ送風機とモーターとで構成したファンユニットとを有し、この前記ファンユニットの前記外郭に前記フードの下面の前記吸込口から吸引された空気を排気させる開口部を持つアダプターを配した構成において、前記モーターのシャフト方向を水平方向または吸い込み方向に対して斜め下方に傾斜させ、前記送風機からの空気を前記ファンユニット内に設けたチャンバー内で圧力上昇させ、前記ファンユニットの背面側に前記アダプターを設けた、という構成を有する。これにより、ファンユニット内のチャンバー内で圧力上昇させた空気をファンユニットの背面に設けた開口に設置したアダプターから直接排気することができる。また、低い位置にある穴にダクトが接続できなかったり、無理な曲げによるダクト配管を防止することができるので、風量−静圧特性、騒音特性を悪化させないので、プロペラ式の深形レンジフードからデザイン性・掃除性の優れた薄形レンジフードへの取り替えが容易にできる、という効果を奏する。
【００１４】
また、ファンユニットを、ケーシングレスのターボファンとし、モーターを固定し、かつチャンバーを２分割する仕切板を設けた、という構成にしてもよい。これにより、ファンユニット背面に排気用の穴を設けることで、モーターを固定するための壁が無くなるが、仕切板を設けることで、背面に穴があってもモーターを固定することが可能となる。また、仕切板でチャンバー内の流れを整流するので、風量アップや騒音低減を図れることとなるので、モーターを固定することができ、チャンバー内の流れを整流することで、風量アップや騒音低減を図ることができる、という効果を奏する。
【００１５】
また、ファンユニットに設けたアダプター用の開口を大きくし、アダプターとファンユニットとの間にアダプター用の開口を設けた調整板を配置し、アダプターと前記調整板の固定穴を長穴とした、という構成にしてもよい。これにより、アダプターを長穴の長手方向に動かして固定することとなるので、取り付け性が向上できる、という効果を奏する。
【００１６】
また、調整板の固定穴を大きくし、ワッシャーで押さえて固定した、という構成にしてもよい。これにより、アダプターを穴の大きさの範囲内で自由に動かすこととなるので、取り付け性が更に向上できる、という効果を奏する。
【００１７】
以下、本発明の実施の形態について図面を参照しながら説明する。
【００１８】
（実施の形態１）
図１〜３に示すように、本発明の実施の形態１のレンジフードは、台所内で調理時等に発生した排気ガス、油煙、水蒸気、臭気等を下側から吸い込むための吸込口１と吸込口１の上面にある開口２とで構成されたフード３と送風機４とモーター５とチャンバー６を内蔵し開口２に連結し板金などの直方体の外郭７とで構成されたファンユニット８を備え、ファンユニット８の背面側に吸込口１から吸い込まれた廃ガス等を排気するアダプター９で構成されている。フード３の上面においては、ファンユニット８以外の場所を収納スペースとして使用しているものもある。モーター５のシャフト軸は、水平方向になっているか、廃ガス等を少しでも送風機４に吸い込めるように吸い込み方向に対して斜め下方に傾斜している。ファンユニット８は、風を流れやすくするために角部に整流板１３が取り付いているものもありケ−シングレスにしてもよい。ケーシングレスの場合、送風機４をターボファン１４のものを使用すれば、風を一方向だけでなく全方向に送ることができるため圧力と風量を確保できる。なお、ここではターボファン１４のものと記載したが他の形状のものでもよい。ファンユニット８の前面と背面の間にはモーター５を固定するためのモーター取付板１１を設け、モーター取付板１１は取付脚１２を用いてファンユニット８に固定されるが、取付脚１２はファンユニット８のいずれの面に取り付けても良く、風路内の風の当たる面が取付脚１２の板厚面になるなど圧力損失をできるだけ受けないようすればさらによい。また、送風機４をターボファン１４のように風を円周方向に送るものにした場合、モーター取付板１１の寸法を送風機４の羽根径以上のものにすることで、モーター取付板１１と背面との間に開放空間ができチャンバー６内の流れを整流でき風量特性がよくなる。また、モーター取付板１１の代わりにファンユニット８を２分割する仕切板１５にすることで、その仕切板１５にモーター５を固定でき、仕切板１５と背面との間に開放空間ができチャンバー６内の流れを整流でき、背面にアダプター９が取り付けやすくなる。アダプター９は、ファンユニット８の背面側にある開口に直接もしくは調整板１０を介して取り付いており、外気からの逆流を防止するシャッターが付いているものもあり、丸ダクトやプロペラ換気扇用のフレ−ム形状をしたものや浅形レンジフード用の角アダプターのものがあり従来タイプからの置き替えが容易となっており、吐出開口も大きくできるため風量の確保や騒音低減につながる。
【００１９】
また、調整板１０があることで、背面の開口を大きく寸法を固定しておけば、調整板１０の形状のみを変更することでファンユニット８を標準化したままさまざまなアダプター９の種類に対応ができる。アダプター９と調整板１０とを固定する穴を長穴にすることで、アダプター９の位置を調整できるため現状のアダプター９に合わせやすくなる。たとえば、アダプター９の長穴を縦方向にして調節板の長穴を横方向にすることで、縦横自由自在の位置にアダプター９を調整することが可能である。また、調節板の固定穴を大きくして、ワッシャーで押さえるような方式を採用してもアダプター９の位置を縦横自由自在に調整することができる。
【００２０】
次に、風の流れを説明する。図１に示すように、モーター５が駆動させることにより、モーター５に固定された送風機４が回転し、調理等で発生した廃ガス、油煙、水蒸気、臭気は負圧となった吸込口１より吸い込まれる。吸込口１で吸い込まれた気流は、開口２、チャンバー６を介して送風機４にモーター５の軸方向に流入し、送風機４により円周方向へ気流の向きを変える。その後、気流はチャンバー６の上下左右面で回転方向が１８０°変わり、モーター取付板１１の裏面に移動しアダプター９を介してダクトにより屋外に排気される。
【００２１】
このような構成によれば、ファンユニットの背面側にアダプターを設けることにより、下面に吸込口と上面に開口を有するフードと、前記開口に連通する直方体の外郭を持つ送風機とモーターとで構成したファンユニットとを有し、この前記ファンユニットの前記外郭に前記フードの下面の前記吸込口から吸引された空気を排気させる開口部を持つアダプターを配した構成において、前記モーターのシャフト方向を水平方向または吸い込み方向に対して斜め下方に傾斜させ、前記送風機からの空気を前記ファンユニット内に設けたチャンバー内で圧力上昇させ、前記ファンユニットの背面側に前記アダプターを設けたこと、また、ファンユニットを、ケーシングレスのターボファンとし、モーターを固定し、かつチャンバーを２分割する仕切板を設けたこと、また、ファンユニットに設けたアダプター用の開口を大きくし、アダプターとファンユニットとの間にアダプター用の開口を設けた調整板を配置し、アダプターと前記調整板の固定穴を長穴としたこと、また、調整板の固定穴を大きくし、ワッシャーで押さえて固定したことにより、ファンユニット内のチャンバー内で圧力上昇させた空気をファンユニットの背面に設けた開口に設置したアダプターから直接排気することができる。また、低い位置にある穴にダクトが接続できなかったり、無理な曲げによるダクト配管を防止することができるので、風量−静圧特性、騒音特性を悪化させず、また、ファンユニット背面に排気用の穴を設けることで、モーターを固定するための壁が無くなるが、仕切板を設けることで、背面に穴があってもモーターを固定することが可能となる。また、仕切板でチャンバー内の流れを整流するので、風量アップや騒音低減を図れ、また、アダプターを長穴の長手方向に動かして固定すること、また、アダプターを穴の大きさの範囲内で自由に動かすこととなり、プロペラ式の深形レンジフードからデザイン性・掃除性の優れた薄形レンジフードへの取り替えが容易にでき、また、モーターを固定することができ、チャンバー内の流れを整流することで、風量アップや騒音低減を図ることができ、また、取り付け性が向上できる。
【産業上の利用可能性】
【００２２】
本発明にかかるレンジフードは、古くなった商品をデザイン性やお手入れ性を向上した新しいタイプに変更する際に、風量−静圧特性や騒音特性を悪化させず、また取り付け性も柔軟に対応できるレンジフ−ド等として有用である。
【符号の説明】
【００２３】
１    吸込口
２    開口
３    フード
４    送風機
５    モーター
６    チャンバー
７    外郭
８    ファンユニット
９    アダプター
１０  調整板
１１  モーター取付板
１２  取付脚
１３  整流板
１４  ターボファン
１５  仕切板
【図１】
2012225599.tif 000003
【図２】
2012225599.tif 000004
【図３】
2012225599.tif 000005
【図４】
2012225599.tif 000006